(57)【要約】【課題】雄端子の雌端子への挿入力を抑えつつ、雌端子の外径を拡大する。【解決手段】本体収容部３５と接触片収容部３６とを備える雌コネクタハウジング３１に挿入され、ピン状の雄端子と嵌合される雌端子１０であって、前記本体収容部３５の内部に収容され、中実円柱状をなし、前記接触片収容部３６の挿入口径より大きい径を有する雌側本体部１１と、前記接触片収容部３６の内部に収容され、前記雌側本体部１１の前端面１９から前方に突出し、前記雄端子と弾性的に接触する複数の弾性接触片１４を有する端子接続部１２と、前記雌側本体部１１の後方に設けられた電線接続部１８とを備え、前記端子接続部１２は、隣り合う前記弾性接触片１４の先端部１５の間に設けられた小スリット１７と、前記小スリット１７の後端から前記雌側本体部１１の前端面１９に亘って設けられた長孔状の大スリット１６とを有する。【選択図】図９
2018156772.tif 000002
【特許請求の範囲】
【請求項１】
本体収容部と接触片収容部とを備える雌コネクタハウジングに挿入され、ピン状の雄端子と嵌合される雌端子であって、
前記本体収容部の内部に収容され、中実円柱状をなし、前記接触片収容部の挿入口径より大きい径を有する雌側本体部と、
前記接触片収容部の内部に収容され、前記雌側本体部の前端面から前方に突出し、前記雄端子と弾性的に接触する複数の弾性接触片を有する端子接続部と、
前記雌側本体部の後方に設けられた電線接続部とを備え、
前記端子接続部は、隣り合う前記弾性接触片の先端部の間に設けられた小スリットと、前記小スリットの後端から前記雌側本体部の前端面に亘って設けられた長孔状の大スリットとを有することを特徴とする雌端子。
【請求項２】
前記複数の弾性接触片の数は、８つであることを特徴とする請求項１記載の雌端子。
【請求項３】
前記雌側本体部の外周面と前記端子接続部の外面とが前記雌側本体部の前端面を介して段差状に連なっており、前記雌側本体部の前端面から前記雌側本体部の後端面までの長さは、前記外周面と前記外面との間の段差の高さよりも長いことを特徴とする請求項１又は請求項２記載の雌端子。
【請求項４】
前記雌コネクタハウジングと、
前記雌コネクタハウジングの内部に収容され、前記電線接続部の径を前記雌側本体部の径より小径とし、前記雌側本体部の外周面と前記電線接続部の外周面とが前記雌側本体部の後端面を介して段差状に連なっている請求項１ないし請求項３のいずれか一項に記載の雌端子と、
板状をなすリテーナ本体部を有し、前記リテーナ本体部が前記雌端子に後方から当接可能とされているリテーナとを備え、
前記雌コネクタハウジングの前記本体収容部の前端から前記本体収容部の後端までの長さは、前記雌側本体部の前端面から前記雌側本体部の後端面までの長さよりも短くされていることを特徴とする雌コネクタ。
【発明の詳細な説明】
【技術分野】
【０００１】
本明細書によって開示される技術は、雌端子、及び雌コネクタに関する。
【背景技術】
【０００２】
従来、ＥＶ等の充電用コネクタで使用される雌端子の一例として、特許第５５５６９９８号公報（下記特許文献１）に記載の雌端子が知られている。この雌端子は、前後方向に長い形状をなしており、前後方向中央部に配置された本体部と、本体部から対向状態をなして前方に突出した複数の接触片と、本体部の後端縁に周設されたフランジ部と、本体部から後方に突出するバレル部とを備えて構成されている。接触片の本数は、一般的に２つないし６つ設けられている。また、隣り合う接触片の側縁の中央付近には、前後方向に延びる長孔状をなす横孔が設けられている。バレル部には、電線が圧着される。
【０００３】
一方、雌端子と嵌合される雄端子は、前後方向に長い形状をなしており、棒状をなす雄側本体部と、雄側本体部の外周面に周設されたフランジ部と、雄側本体部から後方に突出するバレル部とを備えて構成されている。
【０００４】
雄端子と雌端子が嵌合されると、雌端子の複数の接触片に、雄端子の棒状をなす本体部が挟み込まれ、雄端子の雄側本体部に対して弾性的に接触する。これによって、雄端子と雌端子は電気的に導通する。雄端子と雌端子との嵌合時に通電させると、雄端子と雌端子との端子接続部に接触抵抗が生じるため、端子接続部では発熱が生じることとなる。
【先行技術文献】
【特許文献】
【０００５】
【特許文献１】特許第５５５６９９８号公報
【発明の概要】
【発明が解決しようとする課題】
【０００６】
近年、充電速度のさらなる高速化が切望されており、通電時、端子に対してより大きな電流を流すことが求められている。上記のような構造の雌端子に対してこのような大きな電流を流すと、雄端子と雌端子との端子接続部で大きな発熱が生じることとなる。このような端子接続部での発熱を押さえるためには、雄端子と雌端子との接触抵抗を抑える必要がある。一般的に、雄端子と雌端子との接触抵抗を抑えるには、雌端子の接触片の数を増やすことで、雄端子と雌端子との端子接点部の数を増やすことが考えられる。そのために、雌端子の端子外径を拡大して、より多くの接触片を設けられるようにすることが必要である。
【０００７】
しかしながら、雌端子の端子外径を拡大すると、挿入される雄端子の雄側本体部の径に適合させるため、雌端子の接触片の肉厚を増す必要がある。これにより、雌端子の接触片の剛性は上がることとなる。そのため、雌端子に雄端子を挿入する際、雌端子の外径を大きくする前と比べて、雌端子の接触片はよりたわみにくくなる。従って、雌端子に雄端子を挿入する際、より大きな挿入力が必要とされるという問題があった。
【課題を解決するための手段】
【０００８】
本明細書で開示される雌端子は、本体収容部と接触片収容部とを備える雌コネクタハウジングに挿入され、ピン状の雄端子と嵌合される雌端子であって、前記本体収容部の内部に収容され、中実円柱状をなし、前記接触片収容部の挿入口径より大きい径を有する雌側本体部と、前記接触片収容部の内部に収容され、前記雌側本体部の前端面から前方に突出し、前記雄端子と弾性的に接触する複数の弾性接触片を有する端子接続部と、前記雌側本体部の後方に設けられた電線接続部とを備え、前記端子接続部は、隣り合う前記弾性接触片の先端部の間に設けられた小スリットと、前記小スリットの後端から前記雌側本体部の前端面に亘って設けられた長孔状の大スリットとを有する。
このような構成とすると、雌側本体部の外径は、雌端子の端子接続部が収容される接触片収容部の挿入口径よりも大きいので、雌端子が雌コネクタハウジングに挿入されると、雌側本体部の前端面が接触片収容部の開口縁部に当たり、雌端子は前止まりされる。
ここで、従来は、雌端子が雌コネクタハウジングに挿入されると、雌側本体部の後端に設けられたフランジ部が接触片収容部の開口縁部に当たり、雌端子を前止まりさせる構造となっている。そのため、雌端子が挿入されると、雌側本体部が接触片収容部に入り込んでいるから、弾性接触片が短くなる。
一方、上記雌端子では、雌側本体部の前端面が接触片収容部の後端開口縁部に位置し、この位置から弾性接触片が前方に突出して設けられているから、雌端子の弾性接触片は、従来における接触片収容部に入り込んだ雌側本体部の長さ分、長くすることができる。これにより、雌端子の弾性接触片の肉厚を厚くしても、弾性接触片をたわみやすくすることができるので、雌端子の外径をさらに拡大することができる。
【０００９】
また、前記複数の弾性接触片の数は、８つであることとしても良い。
従来の充電コネクタに用いられる雌端子の弾性接触片の数は、一般的に２つないし６つに設定されている。しかし、前述の通り雌端子の端子外径を拡大しても雌端子の弾性接触片をたわみやすくすることができるので、雌端子の弾性接触片の数を８つにすることができる。従って、弾性接触片の数が増えるため、接触抵抗をさらに減らすことができる。
【００１０】
また、前記雌側本体部の外周面と前記端子接続部の外面とが前記雌側本体部の前端面を介して段差状に連なっており、前記雌側本体部の前端面から前記雌側本体部の後端面までの長さは、前記外周面と前記外面との間の長さよりも長いこととしても良い。
このような構成とすると、雌側本体部が長くなることで、雌側本体部の体積が増すこととなるので、雌側本体部での吸熱効果を高めることができる。従って、雌端子全体での発熱をさらに押さえることができる。
【００１１】
前記雌コネクタハウジングと、前記雌コネクタハウジングの内部に収容され、前記電線接続部の径を前記雌側本体部の径より小径とし、前記雌側本体部の外周面と前記電線接続部の外周面とが前記雌側本体部の後端面を介して段差状に連なっている請求項１ないし請求項３のいずれか一項に記載の雌端子と、板状をなすリテーナ本体部を有し、前記リテーナ本体部が前記雌端子に後方から当接可能とされているリテーナとを備え、前記雌コネクタハウジングの前記本体収容部の前端から前記本体収容部の後端までの長さは、前記雌側本体部の前端面から前記雌側本体部の後端面までの長さよりも短くされていることとしても良い。
従来は、雌コネクタハウジングの本体収容部の前端から後端までの長さが、雌側本体部の前端面から後端面までの長さよりも短く設定されている。そのため、雌端子の抜けを防止するため、従来のリテーナは、リテーナ本体部に設けられた孔の開口縁部周辺に、雌側本体部の後端面を押さえる筒状の突出部を設ける必要がある。一方、上記リテーナの場合、板状をなすリテーナ本体部に設けられた孔の開口縁部周辺に、筒状の突出部を設ける必要はない。従って、従来のリテーナの構造と比べて、リテーナの構造を簡素化することができる。
【発明の効果】
【００１２】
本明細書に開示される雌端子によれば、雄端子の雌端子への挿入力を抑えつつ、雌端子の外径を拡大することができる。
【図面の簡単な説明】
【００１３】
【図１】雌端子の前方斜視図
【図２】雌端子の後方斜視図
【図３】雌端子の右側面図
【図４】雌端子の正面図
【図５】雌端子の背面図
【図６】図３におけるＡ−Ａ断面図
【図７】図３において弾性接触片のみを表示した場合におけるＢ−Ｂ断面図
【図８】雌コネクタの正面図
【図９】図８におけるＣ−Ｃ断面図
【図１０】従来の雌端子の右側面図
【図１１】従来の雌端子の正面図
【図１２】図１０におけるＤ−Ｄ断面図
【図１３】図１０において弾性接触片のみを表示した場合におけるＥ−Ｅ断面図
【発明を実施するための形態】
【００１４】
＜実施形態＞
図１から図１３を参照して実施形態を説明する。
本実施形態の雌端子１０を備えた雌コネクタ３０は、例えば、図８に示すように電気自動車やハイブリッド自動車等の車両に備えられたバッテリーを充電するための充電コネクタに使用される。雌コネクタ３０は、図１に示すように、雌端子１０と、雌端子１０が収容される雌コネクタハウジング３１と、雌端子１０を後方から押さえて固定するリテーナ４０とを備えている。
【００１５】
雌端子１０は、図１に示すように、雌側本体部１１と、端子接続部１２と、電線接続部１８とを備えている。雌端子１０は、銅合金製の丸棒を切削加工し、切削加工後に銀等でメッキ加工処理を施すことによって形成されている。以降の説明では、雌端子１０の雄端子との嵌合方向を前方とする。
【００１６】
雌側本体部１１は、図１に示すように、前後方向に長い形状であって中実円柱状をなしている。端子接続部１２は、接触片基端部１３と、８つの弾性接触片１４とを備えている。接触片基端部１３は、円環状で、前方にやや厚みを持っている。端子接続部１２の接触片基端部１３の外径は、雌側本体部１１の外径よりも小さくなっている。雌側本体部１１の外周面と端子接続部１２の接触片基端部１３の外面とは、雌側本体部１１の前端面１９を介して、段差状に連なっている。雌側本体部１１の前端面１９から後端面２０までの長さは、雌側本体部１１の外周面と端子接続部１２の接触片基端部１３の外面との間の段差の高さＬ１よりも長くなっている。
【００１７】
図１及び図４に示すように、接触片基端部１３の前端面から、８つの弾性接触片１４が前方に突出している。８つの弾性接触片１４は、接触片基端部１３の周方向に等間隔に設けられている。周方向に隣接する一対の弾性接触片１４の先端部１５の間には、小スリット１７が設けられている。また、小スリット１７の後端から雌側本体部１１の前端面１９に亘って、長孔状の大スリット１６が設けられている。大スリット１６の幅は、小スリット１７の幅よりも広くなっている。また、大スリット１６の長さは、小スリット１７の長さよりも長くなっている。大スリット１６は、弾性接触片１４の内部に泥水等が浸入した際、泥水等を排出する役割を果たしている。８つの弾性接触片１４に囲まれた空間には、図示しない雄端子が挿入される。８つの弾性接触片１４の先端部１５の最小内径Ｒ１は、図示しない雄端子のピン状の雄側本体部の外径よりも小さくなっている。図示しないものの、これにより、雄端子が雌端子１０の端子接続部１２に挿入されると、８つの弾性接触片１４は径方向外側に押し広けられ、８つの弾性接触片１４と雄側本体部とは弾性的に接触することとなる。
【００１８】
電線接続部１８は、図２に示すように、クローズドバレル形状をなしており、後方が円筒状に開口している。電線接続部１８の外径は、雌側本体部１１の外径よりも小さくなっている。雌側本体部１１の外周面と電線接続部１８の外周面とは、雌側本体部１１の後端面２０を介して段差状に連なっている。電線接続部１８には、図示しない電線の芯線が、圧着により接続されている。これにより、雌端子１０と電線とは電気的に導通している。
【００１９】
雌コネクタハウジング３１は、図９に示すように、合成樹脂製であって、端子収容部３４と、前方にフード状に開口する前側フード部３２と、後方にフード状に開口する後側フード部３３とを備えている。図示しないものの、雌コネクタハウジング３１に雄コネクタハウジングが嵌合されると、前側フード部３２の内部に、雄コネクタハウジングが収容される。後側フード部３３に、後述するリテーナ４０が装着されている。
【００２０】
図９に示すように、前側フード部３２に、前側フード部３２の奥壁を前後方向に貫通する形態で、端子収容部３４が設けられている。端子収容部３４は、本体収容部３５と接触片収容部３６とからなっている。本体収容部３５及び、接触片収容部３６は円筒状とされている。本体収容部３５の空間及び接触片収容部３６の空間は連通している。本体収容部３５の内部には雌端子１０の雌側本体部１１が収容され、接触片収容部３６の内部には雌端子１０の端子接続部１２が収容されている。本体収容部３５の挿入口径は、雌端子１０の雌側本体部１１の外径よりも大きくなっている。接触片収容部３６の内径は、雌端子１０の端子接続部１２の外径より大きく、且つ、雌側本体部１１の外径より小さくなっている。接触片収容部３６の後端開口縁部３７に、雌端子１０の雌側本体部１１の前端面１９が当接している。これにより、雌端子１０が雌コネクタハウジング３１の前方に抜けることを防止している。本体収容部３５の前端３８から後端３９までの長さは、雌側本体部１１の前端面１９から後端面２０までの長さよりも短くなっている。これにより、雌側本体部１１の後端部は本体収容部３５の後方から突出し、本体収容部３５の外部に露出している。
【００２１】
リテーナ４０は、図９に示すように、合成樹脂製であって、雌コネクタハウジング３１の後側フード部３３の開口縁部に取り付けられている。リテーナ４０は、端子収容部３４の内部空間に収容された雌端子１０に後方から当接するリテーナ本体部４１を備えている。
【００２２】
リテーナ本体部４１は図９に示すように、板状をなしている。リテーナ本体部４１には、雌コネクタハウジング３１の端子収容部３４の数と同数の孔４２が設けられている。孔４２の径は、雌端子１０の電線接続部１８の外径よりも大きく、且つ雌側本体部１１の外径よりも小さい径となっている。孔４２に雌端子１０の電線接続部１８が挿通されている。また、孔４２の開口縁部４３が雌側本体部１１の後端面２０に後方から当接されている。これにより、雌端子１０が、雌コネクタハウジング３１から後方に抜けることを防止している。
【００２３】
図示しないものの、雄コネクタは、合成樹脂製であって、雄端子と、雄端子が収容される雄コネクタハウジングとを備えている。雄端子は銅合金製の丸棒を切削加工して作られており、ピン状の雄側本体部と、電線接続部とを備えている。電線接続部には、電線の芯線が圧着により固定されている。これにより、雄端子と電線とは電気的に導通している。
【００２４】
雌端子１０の従来の雌端子５０との差異について説明する。
【００２５】
従来の雌端子５０は、図１０に示すように、雌側本体部５１と、雌側本体部５１の後端に周設されたフランジ部５３と、雌側本体部５１の前端から突出する６つの弾性接触片５２と、雌側本体部５１の後方に設けられた電線接続部５４とを備えている。図示しないものの、従来の雌端子５０を雌コネクタハウジング３１の端子収容部３４に収容すると、フランジ部５３は接触片収容部３６の後端開口縁部３７に当接する。これにより、従来の雌端子５０が、雌コネクタハウジング３１から前方に抜けることを防止している。一方、雌端子１０では、図９に示すように、雌側本体部１１の外径を、接触片収容部３６の挿入口径より大きい径とすることで、雌端子１０が雌コネクタハウジング３１から前方に抜けることを防止している。また、これにより、雌側本体部１１の体積は、従来の雌端子５０の雌側本体部５１の体積よりも大きくなるため、雌端子１０の吸熱効果は、従来の雌端子５０よりも高くなる。
【００２６】
図３に示すように、雌端子１０における、雌コネクタハウジング３１の接触片収容部３６に収容される部位の長さは、弾性接触片１４の先端から雌側本体部１１の前端面１９までの長さＬ２である。一方、図１０に示すように、従来の雌端子５０における、雌コネクタハウジング３１の接触片収容部３６に収容される部位の長さは、弾性接触片５２の先端からフランジ部５３の前端面までの長さＬ２ａである。ここで、長さＬ２と長さＬ２ａは同じ長さとなっているが、弾性接触片１４の長さは、従来の雌端子５０の雌側本体部５１の前端面からフランジ部５３の前端面までの長さＬ３ａの分だけ長くなっている。また、雌端子１０の弾性接触片１４の外径Ｒ２は、従来の雌端子５０の弾性接触片５２の外径Ｒ２ａよりも大きくなっている。
【００２７】
従来の雌端子５０の弾性接触片５２の数は図１１に示すように６つであるが、雌端子１０の弾性接触片の数は図４に示すように８つとなっている。また、図７及び図１３に示すように、従来の弾性接触片５２の断面積Ｓ１ａは、弾性接触片１４の断面積Ｓ１よりも小さくなっている。ここで、従来の雌端子５０の端子外径を大きくすることなく、弾性接触片５２の数を８つに増やす場合、弾性接触片５２の断面積Ｓ１ａをさらに小さくする必要がある。弾性接触片５２の断面積Ｓ１ａを小さくすると、従来の雌端子５０の弾性接触片５２と雄端子との接点部で生じた熱が、従来の雌端子５０の雌側本体部５１に伝わりにくくなる。そのため、従来の雌端子５０では、弾性接触片５２の数を６つ以上とすることができない。一方、雌端子１０の弾性接触片１４の外径Ｒ２は、上述のように、従来の雌端子５０の弾性接触片５２の外径Ｒ２ａよりも大きいから、弾性接触片１４の断面積Ｓ１は弾性接触片５２の断面積Ｓ１ａよりも大きくなり、その分だけ弾性接触片１４の剛性が大きくなってしまうところ、弾性接触片１４の長さは、従来の雌端子５０の弾性接触片５２の長さよりも長くなっていることで、従来と同等のたわみやすさを可能としている。これにより、雌端子１０への雄端子の挿入力は、従来の雌端子５０への雄端子の挿入力と同等となっている。
【００２８】
次に、本実施形態の作用について説明する。
【００２９】
図９に示すように、雌端子１０を雌コネクタハウジング３１の端子収容部３４に収容すると、雌側本体部１１の後端部は本体収容部３５の後方から突出し、本体収容部３５の外部に露出する。さらに、リテーナ４０を雌コネクタハウジング３１に取り付けると、リテーナ本体部４１に設けられた孔４２に、雌端子１０の電線接続部１８が挿通される。また、孔４２の開口縁部４３に、雌側本体部１１の後端面２０が当接される。これにより、雌端子１０は雌コネクタハウジング３１から後方に抜けることを防止できる。従って、リテーナ４０の構造は、板状のリテーナ本体部４１に孔４２が設けられた簡素な構造とすることができる。
【００３０】
図示しないものの、雌コネクタ３０に雄コネクタを嵌合させると、雌端子１０の端子接続部１２に雄端子のピン状の雄側本体部が挿入される。雄側本体部が雌端子１０の端子接続部１２に挿入される時、雌端子１０の８つの弾性接触片１４は、たわみながら雄側本体部を弾性的に押さえつけることとなる。上述の通り、雌端子１０への雄端子の挿入力は、従来の雌端子５０への雄端子の挿入力と同等とすることができる。
【００３１】
図示しないものの、雌コネクタ３０と雄コネクタが嵌合された状態で通電すると、雌端子１０の端子接続部１２と雄側本体部との間の接触抵抗により、雌端子１０の端子接続部１２で発熱が生じることとなる。また、雌端子１０の電線接続部１８と電線接続部１８に接続された電線の芯線との間の接触抵抗により、電線接続部１８で発熱が生じることとなる。端子接続部１２で生じた熱と、電線接続部１８で生じた熱は、雌端子１０の各構成要素のうち体積の最も大きい雌側本体部１１に伝わる。従って、雌側本体部１１は、端子接続部１２や電線接続部１８で生じた熱を吸熱することができる。
【００３２】
以上のように本実施形態によれば、雌側本体部１１の外径は、雌端子１０の端子接続部１２が収容される接触片収容部３６の挿入口径よりも大きいので、雌端子１０が雌コネクタハウジング３１に挿入されると、雌側本体部１１の前端面１９が接触片収容部３６の後端開口縁部３７に当たり、雌端子１０は前止まりされる。
ここで、従来は、雌端子５０が雌コネクタハウジング３１に挿入されると、雌側本体部５１の後端に設けられたフランジ部５３が接触片収容部３６の後端開口縁部３７に当たり、雌端子５０を前止まりさせる構造となっている。そのため、雌端子５０が挿入されると、雌側本体部５１が接触片収容部３６に入り込んでいるから、弾性接触片５２が短くなる。
一方、雌端子１０では、雌側本体部１１の前端面１９が接触片収容部３６の後端開口縁部３７に位置し、この位置から弾性接触片１４が前方に突出して設けられているから、雌端子１０の弾性接触片１４は、従来における接触片収容部３６に入り込んだ雌側本体部の長さ分、長くすることができる。これにより、雌端子１０の弾性接触片１４の肉厚を厚くしても、弾性接触片１４をたわみやすくすることができるので、雌端子１０の外径をさらに拡大することができる。
【００３３】
また、従来の充電コネクタに用いられる雌端子１０の弾性接触片１４の数は、一般的に２つないし６つに設定されている。しかし、前述の通り雌端子１０の端子外径を拡大しても雌端子１０の弾性接触片１４をたわみやすくすることができるので、雌端子１０の弾性接触片１４の数を８つにすることができる。従って、弾性接触片１４の数が増えるため、接触抵抗をさらに減らすことができる。
【００３４】
また、雌側本体部１１が長くなることで、雌側本体部１１の体積が増すこととなるので、雌側本体部１１での吸熱効果を高めることができる。従って、雌端子１０全体での発熱をさらに押さえることができる。
【００３５】
また、雌コネクタハウジング３１に挿入された雌端子１０を後方から固定するリテーナ４０は、リテーナ本体部４１に、雌端子１０の電線接続部１８の外径より大きく、且つ雌側本体部１１の外径より小さい孔４２が設けられた構造となる。一方、従来は、雌コネクタハウジング３１の本体収容部３５の前端３８から後端３９までの長さが、雌側本体部１１の前端面１９から後端面２０までの長さよりも短く設定されている。そのため、雌端子１０の抜けを防止するため、リテーナ４０の開口縁部４３周辺に、雌側本体部１１の後端面２０を押さえる筒状の突出部を設ける必要がある。従って、従来のリテーナの構成と比べて、リテーナ４０の構造を簡素化することができる。
従来は、雌コネクタハウジングの本体収容部の前端から後端までの長さが、雌側本体部１１の前端面１９から後端面２０までの長さよりも短く設定されている。そのため、雌端子１０の抜けを防止するため、従来のリテーナは、リテーナ本体部に設けられた孔の開口縁部周辺に、雌側本体部１１の後端面２０を押さえる筒状の突出部を設ける必要がある。従って、従来のリテーナの構造と比べて、リテーナ４０の構造を簡素化することができる。一方、リテーナ４０の場合、板状をなすリテーナ本体部４１に設けられた孔４２の開口縁部４２の周辺に、筒状の突出部を設ける必要はない。従って、従来のリテーナの構造と比べて、リテーナの構造を簡素化することができる。
【００３６】
＜他の実施形態＞
本明細書によって開示される技術は上記記述及び図面によって説明した実施形態に限定されるものではなく、例えば次のような種々の態様も含まれる。
（１）上記実施形態では、弾性接触片１４の数は８つとしていたが、７つ以上であればいくつでも良い。
（２）上記実施形態では、雌側本体部１１の前端面１９から雌側本体部１１の後端面２０までの長さは、段差の高さＬ１よりも長いこととしていたが、段差の高さＬ１よりも短くても良い。
（３）上記実施形態では、雌コネクタハウジング３１の本体収容部３５の前端３８から後端３９までの長さは、雌側本体部１１の前端面１９から後端面２０までの長さよりも短いこととしていたが、長くても良い。また、リテーナ４０の構造は、板状のリテーナ本体部４１に孔４２が設けられた構造としていたが、孔４２の開口縁部４３周辺に、雌側本体部１１の後端面２０を押さえる筒状の突出部を設けても良い。
【符号の説明】
【００３７】
１０…雌端子
１１…雌側本体部
１２…端子接続部
１３…接触片基端部
１４…弾性接触片
１５…先端部
１６…大スリット
１７…小スリット
１８…電線接続部
１９…前端面
２０…後端面
３０…雌コネクタ
３１…雌コネクタハウジング
３２…前側フード部
３３…後側フード部
３４…端子収容部
３５…本体収容部
３６…接触片収容部
３７…後端開口縁部
３８…本体収容部の前端
３９…本体収容部の後端
４０…リテーナ
４１…リテーナ本体部
４２…孔
４３…開口縁部
Ｒ１…弾性接触片の先端部の最小内径
Ｒ２、Ｒ２ａ…弾性接触片の外径
Ｌ１…段差の高さ
Ｌ２、Ｌ２ａ…長さ
Ｌ３ａ…長さ
Ｓ１、Ｓ１ａ…弾性接触片の断面積
５０…従来の雌端子
５１…従来の雌端子の雌側本体部
５２…従来の雌端子の弾性接触片
５３…従来の雌端子のフランジ部
５４…従来の雌端子の電線接続部
【図１】
2018156772.tif 000003
【図２】
2018156772.tif 000004
【図３】
2018156772.tif 000005
【図４】
2018156772.tif 000006
【図５】
2018156772.tif 000007
【図６】
2018156772.tif 000008
【図７】
2018156772.tif 000009
【図８】
2018156772.tif 000010
【図９】
2018156772.tif 000011
【図１０】
2018156772.tif 000012
【図１１】
2018156772.tif 000013
【図１２】
2018156772.tif 000014
【図１３】
2018156772.tif 000015